【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
原稿を読み取り画像データを取得する画像処理装置と、ネットワークを介して前記画像処理装置から送信された前記画像データに対してワークフローを実行する情報処理装置とを有する情報処理システムであって、
前記情報処理装置は、
前記ワークフローの実行に適用する書誌情報を前記画像処理装置において入力させる入力画面であって、前記書誌情報を入力させる１以上の書誌項目を含む前記入力画面を表示するための第１の画面情報を生成する生成手段と、
前記生成手段により生成された前記第１の画面情報を所定のタイミングで前記画像処理装置に送信する送信手段と、
前記入力画面を介して前記１以上の書誌項目ごとに入力された前記書誌情報を適用し、前記ワークフローを実行する実行手段と、を有し、
前記画像処理装置は、
前記情報処理装置から送信された前記第１の画面情報に基づき、当該第１の画面情報により指定される前記１以上の書誌項目のうち、前記入力画面を表示するための第２の画面情報を前記ネットワークを介して取得先から取得することが指示される書誌項目を特定する特定手段と、
前記特定手段により特定された前記書誌項目に関し、前記ネットワークを介して前記取得先から前記第２の画面情報を取得する取得手段と、
前記情報処理装置から送信された前記第１の画面情報と、前記取得手段により取得された前記第２の画面情報とに基づいて生成した前記入力画面を表示させる表示制御手段と、を有する情報処理システム。
【請求項２】
前記表示制御手段は、
前記情報処理装置から送信された前記第１の画面情報により指定される前記１以上の書誌項目のうち、前記第２の画面情報を前記取得先から取得することが指示される前記書誌項目について、前記取得手段により取得された前記第２の画面情報に基づいて前記入力画面を生成し、前記第２の画面情報を前記取得先から取得することが指示されていない前記書誌項目について、当該第１の画面情報に含まれる前記第２の画面情報に基づいて前記入力画面を生成する請求項１に記載の情報処理システム。
【請求項３】
特定のキーワードが前記書誌項目に含まれるか否かを判断する判断手段をさらに有し、
前記特定手段は、
前記情報処理装置から送信された前記第１の画面情報により指定される前記１以上の書誌項目のうち、前記判断手段により特定のキーワードが含まれると判断された書誌情報を特定する請求項１又は２に記載の情報処理システム。
【請求項４】
前記判断手段は、
前記第２の画面情報の前記取得先を指定できる指示情報が前記書誌項目に含まれるか否かを判断し、
前記特定手段は、
前記情報処理装置から送信された前記第１の画面情報により指定される前記１以上の書誌項目のうち、前記判断手段により前記指示情報が含まれると判断された前記書誌情報を特定し、
前記取得手段は、
前記特定手段により特定された前記書誌項目に含まれる前記指示情報により指定された前記取得先から前記第２の画面情報を取得する請求項３に記載の情報処理システム。
【請求項５】
前記送信手段は、
前記画像処理装置から前記第１の画面情報が要求されたこと、又は、前記画像処理装置の機能に対する利用権限が更新されたことに応じて、前記第１の画面情報を送信する請求項１乃至請求項４の何れか一項に記載の情報処理システム。
【請求項６】
前記第２の画面情報は、前記画像処理装置の特定の機能に対する利用権限を有するグループを示す利用権限情報を含み、
前記表示制御手段は、
前記第２の画面情報に含まれる前記利用権限情報に基づき、前記画像処理装置にログインしたユーザが利用権限を有する前記書誌項目を前記入力画面に表示させる請求項１乃至請求項５の何れか一項に記載の情報処理システム。
【請求項７】
原稿を読み取ることで取得した画像データを情報処理装置に送信し、前記画像データに対してワークフローを前記情報処理装置に実行させる画像処理装置であって、
前記ワークフローの実行に適用される書誌情報を入力させる入力画面であって、前記書誌情報を入力させる１以上の書誌項目を含む前記入力画面を表示するための第１の画面情報を所定のタイミングで前記情報処理装置から受信する受信手段と、
前記受信手段により受信された前記第１の画面情報に基づき、当該第１の画面情報により指定される前記１以上の書誌項目のうち、前記入力画面を表示するための第２の画面情報を、ネットワークを介して取得先から取得することが指示される書誌項目を特定する特定手段と、
前記特定手段により特定された前記書誌項目に関し、前記ネットワークを介して前記取得先から前記第２の画面情報を取得する取得手段と、
前記情報処理装置から送信された前記第１の画面情報と、前記取得手段により取得された前記第２の画面情報とに基づいて生成した前記入力画面を表示させる表示制御手段と、を有する画像処理装置。
【請求項８】
原稿を読み取り画像データを取得する画像処理装置と、ネットワークを介して前記画像処理装置から送信された前記画像データに対してワークフローを実行する情報処理装置とを有する情報処理システムが実行する方法であって、
前記ワークフローの実行に適用する書誌情報を前記画像処理装置において入力させる入力画面であって、前記書誌情報を入力させる１以上の書誌項目を含む前記入力画面を表示するための第１の画面情報を生成する生成ステップと、
前記生成ステップにおいて生成された前記第１の画面情報を所定のタイミングで前記画像処理装置に送信する送信ステップと、
前記情報処理装置から送信された前記第１の画面情報に基づき、当該第１の画面情報により指定される前記１以上の書誌項目のうち、前記入力画面を表示するための第２の画面情報を、前記ネットワークを介して取得先から取得することが指示される書誌項目を特定する特定ステップと、
前記特定ステップにおいて特定された前記書誌項目に関し、前記ネットワークを介して前記取得先から前記第２の画面情報を取得する取得ステップと、
前記情報処理装置から送信された前記第１の画面情報と、前記取得ステップにおいて取得された前記第２の画面情報とに基づいて生成した前記入力画面を表示させる表示制御ステップと、
前記入力画面を介して前記１以上の書誌項目ごとに入力された前記書誌情報を適用し、前記ワークフローを実行する実行ステップと
を含む方法。
【請求項９】
原稿を読み取ることで取得した画像データを情報処理装置に送信し、前記画像データに対してワークフローを前記情報処理装置に実行させる画像処理装置が実行するプログラムであって、前記画像処理装置を、
前記ワークフローの実行に適用される書誌情報を入力させる入力画面であって、前記書誌情報を入力させる１以上の書誌項目を含む前記入力画面を表示するための第１の画面情報を所定のタイミングで前記情報処理装置から受信する受信手段、
前記受信手段により受信された前記第１の画面情報に基づき、当該第１の画面情報により指定される前記１以上の書誌項目のうち、前記入力画面を表示するための第２の画面情報を、ネットワークを介して取得先から取得することが指示される書誌項目を特定する特定手段、
前記特定手段により特定された前記書誌項目に関し、前記ネットワークを介して前記取得先から前記第２の画面情報を取得する取得手段、
前記情報処理装置から送信された前記第１の画面情報と、前記取得手段により取得された前記第２の画面情報とに基づいて生成した前記入力画面を表示させる表示制御手段
として機能させるプログラム。